(57)【要約】【課題】窓ガラス等の導波部材の表面に導電膜を形成すること無しに、窓ガラスのほぼ全領域に対する破壊を検知し得るようにすることを課題とする。【解決手段】窓等の建物の開口部を覆い肉厚内に光を導波させる窓ガラス等の導波部材１と、上記導波部材に光を導入させる、例えば、半導体レーザ等の光源２と、導波部材を導波して到達した上記光源からの光を検出する、例えば、フォトダイオード、フォトトランジスタ等の光検出手段３とを備え、上記導波部材の破損の有無によって上記光検出手段で検出する光の量が変化するようにした。【選択図】        図１
2005018417.tif 000002
【特許請求の範囲】
【請求項１】
窓等の建物の開口部を覆い肉厚内に光を導波させる導波部材と、上記導波部材に光を導入させる光源と、導波部材を導波して到達した上記光源からの光を検出する光検出手段とを備え、
上記導波部材の破損の有無によって上記光検出手段で検出する光の量が変化するようにした
ことを特徴とする監視装置。
【請求項２】
光源からの光を反射する可動ミラーを設け、
上記可動ミラーを駆動することによって光源からの光の導波部材への入射角が変化するようにした
ことを特徴とする請求項１に記載の監視装置。
【請求項３】
光源を揺動自在に構成し、
光源を揺動させることによって光源からの光の導波部材への入射角が変化するようにした
ことを特徴とする請求項１に記載の監視装置。
【請求項４】
複数の光検出手段を導波光の角度が変化する方向に沿ってアレイ状に配置した
ことを特徴とする請求項２に記載の監視装置。
【請求項５】
複数の光検出手段を導波光の角度が変化する方向に沿ってアレイ状に配置した
ことを特徴とする請求項３に記載の監視装置。
【請求項６】
上記導波部材の表面の一部に導波部材の肉厚内を導波している光の一部を漏光させる漏光部を設けた
ことを特徴とする請求項１に記載の監視装置。
【請求項７】
窓等の建物の開口部を覆い肉厚内に光を導波させる導波部材に光源から光を導入し、
上記導波部材内を導波される光を光検出手段によって検出し、
上記光検出手段による受光量の変化によって上記導波部材の破損を検出する
ことを特徴とする監視方法。
【請求項８】
光の導波部材への入射角を変化させる
ことを特徴とする請求項７に記載の監視方法。
【請求項９】
導波部材内に入射した光の一部を導波部材の表面の一部から漏光させる
ことを特徴とする請求項７に記載の監視方法。
【発明の詳細な説明】
【０００１】
【発明の属する技術分野】
本発明は新規な監視装置及び監視方法に関する。詳しくは、窓、ドア等、建物の開口部からの侵入を確実に検知する技術に関する。
【０００２】
【従来の技術】
最近、家宅侵入犯罪が多発しており、セキュリティーに関する関心が高まっている。しかし、家庭でのセキュリティーはドアや窓に施錠するという古典的な手段によるものがほとんどであり、最近の技術が高度化した侵入手口に対して無力な場合が多い。
【０００３】
特に、窓ガラスを破壊して侵入する事件は増大しており、この侵入ルートに対するより確実な防犯が望まれる。
【０００４】
窓ガラスを破壊して侵入することに対して、現在一般に採用されている対策は、施錠の他、窓ガラスや窓枠に各種センサを取り付け、窓ガラスを破壊するための振動等物理的異常が生じた場合や窓ガラスが開けられた場合に、センサがそれらを検知して、警報音を発したり、警備会社へのオンライン通報が為されたりというものがほとんどである。
【０００５】
しかしながら、これらの対策は、窓ガラスの破壊そのものを直接検知するものではなく、異常検知の確実性が低かったり、窓ガラスが破壊されてから警報音が鳴ったり警備会社に通報されるまでの間に時間差があったりするという問題があった。
【０００６】
そこで、窓ガラスの破壊を直接検知するものとして、例えば、特許文献１に示されたものが提案されている。
【０００７】
【特許文献１】
特開２００３−１２８４４３号公報
【０００８】
【発明が解決しようとする課題】
しかしながら、特許文献１に記載されたものにあっては、窓ガラスの表面を覆うように導電膜を形成しなければならないという問題がある。そのため、窓ガラスそのものが高価になるという問題がある。窓ガラスは、いわば消耗品である。そのような消耗品が高価であるということは、建物の維持管理コストがかさむという結果を招く。
【０００９】
また、特許文献１に示されたものにあっては、導通部（図１の符号１６参照）が切断されない限り、センサは異常を検出しないので、侵入しようとする者が窓ガラスの予想していた箇所以外の箇所を破壊して侵入を試みた場合には、異常が検知されないという結果を招く。
【００１０】
そこで、本発明は、窓ガラス等の導波部材の表面に導電膜を形成すること無しに、窓ガラスのほぼ全領域に対する破壊を検知し得るようにすることを課題とする。
【００１１】
【課題を解決するための手段】
本発明監視装置は、上記した課題を解決するために、窓等の建物の開口部を覆い肉厚内に光を導波させる導波部材と、上記導波部材に光を導入させる光源と、導波部材を導波して到達した上記光源からの光を検出する光検出手段とを備え、上記導波部材の破損の有無によって上記光検出手段で検出する光の量が変化するようにしたものである。
【００１２】
また、本発明監視方法は、上記した課題を解決するために、窓等の建物の開口部を覆い肉厚内に光を導波させる導波部材に光源から光を導入し、上記導波部材内を導波される光を光検出手段によって検出し、上記光検出手段による受光量の変化によって上記導波部材の破損を検出するようにしたものである。
【００１３】
従って、本発明にあっては、光検出手段が受光する光量の大小によって導波部材の破損の有無を判断することができる。
【００１４】
【発明の実施の形態】
以下に、本発明監視装置及び監視方法の実施の形態を添付図面を参照して説明する。
【００１５】
図１に監視装置の主要構成部分を示す。
【００１６】
ガラス、プラスチック等の透明材料から成る導波部材１の一の端面１ａに対向して光源２が配置される。また、導波部材１の別の端面、例えば、上記端面１ａと反対側の端面１ｂに対向して光検出手段３が配置される。そして、光源２から発せられた光４が上記端面１ａから導波部材１内に入射し、内面反射を繰り返しながら所定の経路を経て光検出手段３によって受光される。
【００１７】
上記導波部材１は、例えば、窓のサッシュガラスであり、その材料は、使用する光源の光を内面反射によって導波させるものであればよい。例えば、光源２に波長が０．４ミクロン以上２ミクロン以下の半導体レーザを使用した場合、多くのシリカ系ガラスやポリカーボネート、アクリル系プラスチック等のプラスチック材料等を使用することができる。要は、使用する光源の光を内面反射によって導波させることのできるものであればよい。
【００１８】
また、光源２として、半導体レーザを使用する場合、その出力は、特に限定されないが、安全のために３ｍＷ（ミリワット）以下のものが望ましい。基準では１ｍＷ以下が安全であるとされている。
【００１９】
導波部材１の肉厚内に入射された光４は導波部材内を図２に示すように内面反射を繰り返しながら導波されるが、端面１ａ、１ｂ、１ｃ、１ｄでは該端面への入射角が臨界角より小さくなると多くの光が該端面を透過してしまうので、これら端面１ａ、１ｂ、１ｃ、１ｄに反射面５を形成しておくのが好ましい。このような反射面５は、例えば、アルミ蒸着膜や誘電体多層膜をこれら端面１ａ、１ｂ、１ｃ、１ｄに付与することによって形成することが出来るが、勿論他の方法によって反射面５を形成しても良い。なお、反射面５の形成は必須ではなく、反射面を形成しない場合でも、ある程度の量の光は端面１ａ、１ｂ、１ｃ、１ｄで反射されるので、反射面５を形成しなかった場合より光量は少なくなるが、光検出手段３に受光される光は存在するので、検出は可能である。上記したように、端面１ａ、１ｂ、１ｃ、１ｄに反射面５を形成した場合、光源２及び光検出手段３が対向した部分には反射面５を形成しないことは勿論である。
【００２０】
光源２としては、上記したように、半導体レーザが好適であるが、勿論半導体レーザ以外の光源も使用することができる。例えば、赤外光を発する赤外光源なども使用することができる。
【００２１】
光としてレーザを使用する場合、直進性が優れているので、そのままで使用することもできるが、図３に示すように、コリメータレンズ６によって光源２から出射された光を平行光にしてから導波部材１内に入射させるようにすると、光の拡散を押さえて、光検出手段３での受光量が増大する。
【００２２】
光検出手段３としては、例えば、フォトダイオード、フォトトランジスタ等を使用することができるが、勿論、これらに限られるものではない。
【００２３】
違法侵入者が窓やドアを破って屋内に侵入する場合、鍵やドアノブ７に近い部分の窓ガラス（導波部材）を破壊し、それによってできた開口部から手を入れて解錠するのが一般的な手口である。そこで、図１の光跡４に示すように、光がドアノブ７に近い部分を通過するように光路を設定しておけば、ドアノブ７を操作しようとして、ドアノブ７に近い部分を破壊したときには、破壊され部分で光が散乱し、光検出手段３によって受光される光量が著しく減少する。なお、図１に示した光跡４は一例であり、光源２と光検出手段３との位置関係が同じ場合でも、光源２から光検出手段３に至る光路には幾つかのものがある。従って、導波部材１のほぼ全ての領域が監視されることになり、導波部材１が破壊されたにも拘わらず、それを検出することができないということはない。
【００２４】
なお、さらに、導波部材１の全ての領域に亘って細かく監視するためには、導波部材１に入射させる光の角度を変化させる、いわゆるスキャニングを行うことが効果的である。それによって、導波部材１のあらゆる箇所に光が行き亘り、本装置による監視漏れが生じにくくなる。
【００２５】
導波部材１への入射光をスキャニングする方法は、どのような方法であっても良いが、例えば、図４や図５に示す方法がある。
【００２６】
すなわち、図４に示す方法は、傾動ミラー８を光源２（及びコリメータレンズ６）と導波部材１との間に介在させ、該傾動ミラー８を矢印Ｕ−Ｄ方向に往復回動させる。これによって、２点鎖線矢印で示すように傾動ミラー８による反射光の導波部材１に対する入射角度が連続的に変化する。
【００２７】
また、図５に示す方法は、回転ミラー９を光源２（及びコリメータレンズ６）と導波部材１との間に介在させ、該回転ミラー９を一の方向、例えば、矢印ＣＷ方向に回転させる。なお、回転ミラー９の周面（反射面）は回転軸方向に見て多面体になるように複数の平面反射面９ａ、９ａ、・・・が形成されている。従って、一の平面反射面９ａによって反射光の反射方向がＬ１からＬ３へと連続的に変化し、次の平面反射面９ａによってＬ１からＬ３へと連続的に変化し、・・・、というように、反射光の反射方向のＬ１からＬ３への連続的変化が繰り返されることになる。
【００２８】
なお、図４や図５に示すように、導波部材１への入射光の入射角度を変化させる場合、全ての光が光検出手段３によって受光されるわけではないが、スキャニングしない場合に比べて、より多くの経路を経て受光されることになり、それだけ広範囲の監視を行うことができる。また、光検出手段３には光が連続的に受光されるわけではなく、間欠的に受光されるので、光検出手段３の出力はパルス出力になり、従って、所定のパルスが出力されている限り、導波部材１は破壊されていないと判断される。そして、導波部材１のどこかが破壊されると、当該破壊された部分で光が散乱するので、一定のパルス受光が不能になったり、受光量が著しく減少したりするので、それを検出することによって異常を判断する。
【００２９】
導波部材１への入射光のスキャニングを行うのに、上記例では、傾動ミラー８や回転ミラー９のような可動ミラーを使用する例を示したが、可動ミラーを使用せずに、光源２自体を揺動させるようにしても良い。
【００３０】
上記したように、導波部材１への入射光の入射角度を変化させる場合、図６に示すように、複数の光検出手段３、３、・・・を導波光の角度が変化する方向、すなわち、導波部材の端面１ｂに沿ってアレイ状に配列すると、より多くの方向からの導波光を受光することができ、それだけ緻密な監視を行うことができる。
【００３１】
上記したような構成を採ることによって、窓のサッシュガラスのような導波部材１の一部でも破壊されると、光検出手段３によって受光する光量が著しく減少乃至は皆無となる。そこで、光検出手段３の受光量に応じた出力を監視することによって、導波部材が破壊された否かの検出を行うことができる。例えば、予め導波部材１が破壊された場合における光検出手段３の出力の低下を実験等によって求めておき、それを基にして適当な閾値を設定し、光検出手段３の出力を上記閾値と比較し、閾値より高い出力であれば正常であると判断し、閾値より低い出力であれば導波部材が破壊されたと判断する。上記閾値には、通常起こりうる電圧の揺らぎ等によって正常時でも起こりうる光検出手段３の出力の低下によっては異常（導波部材１の破壊）と判断しないように、且つ、導波部材１の破壊があったときには小さな破壊であっても異常と判断するように、適正な値を設定するようにする。
【００３２】
次に、上記装置を使用した侵入監視システムの概要を図７によって説明する。
【００３３】
先ず、ステップＳ１で侵入監視システムの設定を行う。すなわち、作動状態にする。作動状態にすることは、例えば、屋内に設置された所定の設定スイッチをＯＮ状態にすることなどによって為される。なお、設定スイッチのＯＮは携帯端末等からも可能にしておくと、設定スイッチをＯＮにし忘れて外出した場合など、外出先から設定スイッチをＯＮすることができ、便利である。但し、設定スイッチを一旦ＯＮにすると携帯端末からはＯＦＦすることができなようにしておくのがよい。これは、例えば、携帯端末を保持しているものが脅迫されてもＯＦＦすることができないようにするためである。なお、本装置は窓ガラス等、建物の開口部を覆っている導波部材の破壊を検知するものであるので、例えば、家人が、正常に建物内にはいるためには作動状態を解除する必要はないが、万が一、玄関の鍵を忘れた等で、しかも緊急に建物内に入る必要があって、窓ガラス等を破壊しなければならないような場合、異常検出によって、例えば、警察や警備会社等への通報が為されてしまうことを回避するために、作動状態を解除する必要が生ずるかもしれない。このような場合には、例えば、建物の外側に暗証キーの入力部を用意しておき、暗証キーを入力することによって作動状態を解除できるようにしておいても良い。なお、簡易に解除するために、屋外に解除スイッチを設けておくことも考えられるが、これは侵入を意図するものに発見される危険性もあり、利便性と危険性との比較考量の上で設置を考えるべきである。
【００３４】
ステップＳ１で作動状態とされることによって、光源２から光が出射され、それを、光検出手段３が受光し、そして、光検出手段３の受光量によって変化する出力を監視する図示しない回路が作動を開始し、ステップＳ２で「正常か？」という判断が為される。例えば、光検出手段３の出力を上記した閾値と比較し、光検出手段３の出力が閾値以上であれば正常（ＹＥＳ）と判断し、引き続きステップＳ２の動作を行う。例えば、光検出手段３の出力が閾値以下であれば異常（ＮＯ）と判断し、例えば、ブザー、サイレン等の警報音を鳴らす（ステップＳ３）、建物の周囲の照明を点灯する（ステップＳ４）、ネットワークを通じて所定の連絡場所に連絡する（ステップＳ５）等の異常に対処する動作を行い、終了する。なお、ステップＳ３〜ステップＳ５の動作は全てが行われても良いし、また、１つ又は２つの動作が選択的に行われても良い。
【００３５】
上記ステップＳ５によるネットワークを通じての連絡を行う場合の、選択可能な連絡場所について、図８に示す。
【００３６】
ステップＳ３で異常が検出され、ステップＳ５のネットワークを通じての連絡が選択された場合、連絡手段としては、電話回線による連絡（ステップＳ６）、警備会社との専用回線による連絡（ステップＳ７）、インターネットによる連絡（ステップＳ８）が考えられ、これらの全部又は１つ或いは２つが選択される。
【００３７】
ステップＳ６の電話回線による連絡が選択された場合は、予め選択されている本人の携帯電話、知人の固定電話や携帯電話等に侵入が発生した旨の連絡が為される（ステップＳ９）。予め選択された連絡先には、全ての連絡先に連絡されても良いし、また、優先順位を付けておき、優先度の高い連絡先から連絡し、連絡できなかったときに次順位の連絡先に連絡するというようにしても良い。
【００３８】
ステップＳ７の警備会社との専用回線による連絡が選択された場合は、警備会社に侵入が発生した旨の連絡が為される（ステップＳ１０）。連絡を受けた警備会社では、警察への通報、現場への出動等予め定められた行動が為されることになる。
【００３９】
ステップ８のインターネットによる連絡が選択された場合には、侵入が発生した旨を知らせる緊急メールが自動送信され（ステップＳ１１）、該メールが本人又は知人により受領される（ステップＳ１２）。
【００４０】
なお、上記したほかにも、例えば、警察との間に地域防犯ネットワークが構築されている場合には、該地域防犯ネットワークを通じての警察及び防犯拠点への通報が為されるようにすることも考えられる。
【００４１】
上記した監視装置にあっては、レーザ光や赤外光等の導波光はガラス等の導波部材の肉厚内を全反射によって進むので、これらの導波光が外部から認識されることはない。従って、侵入を試みるものは当該導波部材に侵入を監視するための仕掛けが為されていることを知ることができない。そのため、予め、かかる監視をくぐり抜けるための方策を講じることができないので、実際に侵入が試みられた場合には、確実に該侵入を検知することができる。
【００４２】
しかしながら、犯罪抑止の目的で、かかる監視装置が作動中であることを分からせた方がよい場合もある。そのような場合には、図９に示すように、導波部材１の表面１ｅに漏光部として適当な凹凸１０、１０、・・・を付すことによって、該凹凸１０、１０、・・・から導波光の一部１１、１１、・・・を散乱させ、それによって、導波部材１の肉厚内を何らかの光が導波していて、「何かの装置が作動中である」と感じさせることが可能である。この場合、導波部材１の表面１ｅに付する凹凸１０、１０、・・・は導波光の波長以上の深さがあるものであれば、該凹凸１０、１０、・・・から導波光の一部１１、１１、・・・が散乱するので、目的を達成することができる。例えば、導波光として波長１ミクロン（μｍ）のレーザ光を使用した場合、１ミクロン（μｍ）以上の深さのある凹凸１０、１０、・・・を付すれば、該凹凸１０、１０、・・・から導波光の一部１１、１１、・・・を散乱させることができる。上記凹凸１０、１０、・・・の付し方は特に問うものではないが、例えば、凹凸１０、１０、・・・を筋状に付し、導波部材１への入射光をスキャニングさせれば、スキャニングに応じて凹凸１０、１０、・・・の筋に沿って散乱光１１、１１、・・・が移動し、「そこに何かがある」ということをより確実に認識させることができる。これは、静止しているものより動きのあるものの方がより人の関心を引きやすいからである。或いは、静止した状態で表示したい場合には、例えば、「Ｓｅｃｕｒｉｔｙ  Ｏｎ」のような何らかの防犯装置が作動していると思わせる文字が表示されるようにしておくことも、犯罪行為を断念させる意味で、有効である。
【００４３】
また、導波光の一部を導波部材の表面から散乱させることは、威嚇効果によって犯罪を未然に防止する効果を奏するほか、監視装置の使用者本人にとっても監視装置が作動中であるか否かの確認に役立ち、監視装置の作動忘れの防止になる。
【００４４】
なお、上記したように、導波光を外部に散乱させる場合、目立つ光、例えば、赤色レーザ光などを使用すると良い。
【００４５】
上記説明では、一旦作動させると、作動中は光源２が発光し続けるように説明したが、例えば、節電等の目的で、光源２をパルス点灯させるようにしても良い。その場合は、光検出手段３はパルス光を受光することになるので、かかるパルス光の受光に伴うパルス出力を検出して異常か否かの検出をすればよい。すなわち、一定のパルス出力があれば正常であり、予め予定されたパルス出力がなくなれば異常であると判断することになる。
【００４６】
なお、導波部材１は導波光が光検出手段３に到達するまでの減衰を少なくするために、透明又は透明に近いものであることが必要であるが、窓などを外部から室内が覗けないように不透明又は不透明に近いものにしたい場合がある。そのような場合は、例えば、光を導波させる導波部材１には透明なものを使用し、該導波部材１に不透明なもの、例えば、すりガラスやミラーガラス等を重ね合わせた２重構造にして使用するなどの工夫により、対応することができる。
【００４７】
上記した本発明監視装置及び監視方法によれば、窓のガラスなどを破って建物内に侵入する犯罪の検知を確実に行うことができる。
【００４８】
また、導波光の一部を導波部材の表面から散乱させることによって、侵入を意図しているものに対する威嚇となり、犯罪を未然に防ぐことができる。
【００４９】
そして、導波光の多重反射を利用して導波部材の全域に亘ってきめ細かく導波光による監視することができ、監視部位に死角が生じにくい。
【００５０】
さらに、導波部材が破壊されない限り、異常信号が出力されないため、従来の２個一組で成る近接スイッチの一方を窓枠に他方をサッシュに取り付けて、サッシュが窓枠に対して移動して、近接スイッチの一方が他方から離れることによって異常信号が出る監視装置と異なり、家人の通常生活の中で誤って異常信号が出てしまう可能性が極めて少ない。そのため、節電のことを考えなければ、常時作動状態にすることができ、セキュリティの掛け忘れを防止することができる。また、サッシュの掃除などには何ら支障とならない。
【００５１】
しかも、導波部材、例えば、窓ガラスの表面には透明電極等余分なものを設ける必要が無く、消耗材である窓ガラスが高価になりすぎるのを避けることができる。
【００５２】
なお、上記した実施の形態において示した各部の形状及び構造は、何れも本発明を実施するに際して行う具体化のほんの一例を示したものに過ぎず、これらによって、本発明の技術的範囲が限定的に解釈されることがあってはならないものである。
【００５３】
【発明の効果】
以上に記載したところから明らかなように、本発明監視装置は、窓等の建物の開口部を覆い肉厚内に光を導波させる導波部材と、上記導波部材に光を導入させる光源と、導波部材を導波して到達した上記光源からの光を検出する光検出手段とを備え、上記導波部材の破損の有無によって上記光検出手段で検出する光の量が変化するようにしたことを特徴とする。
【００５４】
また、本発明監視方法は、窓等の建物の開口部を覆い肉厚内に光を導波させる導波部材に光源から光を導入し、上記導波部材内を導波される光を光検出手段によって検出し、上記光検出手段による受光量の変化によって上記導波部材の破損を検出することを特徴とする。
【００５５】
従って、本発明にあっては、光検出手段が受光する光の量を検出することによって、導波部材の破損の有無を検出することができる。そのため、導波部材の表面に加工を施すこと無しに、導波部材の破損を確実に検出することができる。また、導波光は光源から光検出手段までを多重反射によって進むので、導波部材の隅々まで導波光が行き亘り、導波部材のあらゆる箇所の破損を検出することができる。さらに、導波部材の破損を検出するものであるので、導波部材を備えたサッシュ等の開閉によっては異常を検出することがないので、常時監視状態としておくことも可能である。
【００５６】
請求項２、請求項３及び請求項８に記載した発明にあっては、光の導波部材への入射角を変化させるので、導波光が導波部材のさらに隅々にまで行き亘るので、導波部材のさらに隅々までの監視が可能になる。
【００５７】
請求項４及び請求項５に記載した発明にあっては、複数の光検出手段を導波光の角度が変化する方向に沿ってアレイ状に配置したので、より多くの経路を経てきた導波光を受光することができるので、さらに導波部材の隅々までの監視が可能になる。
【００５８】
請求項６及び請求項９に記載した発明にあっては、導波部材内に入射した光の一部を導波部材の表面の一部から漏光させるので、侵入を意図するものへの威嚇となり、犯罪予防効果がある。
【図面の簡単な説明】
【図１】図面は本発明監視装置及び監視方法の実施の形態を示すものであり、本図は構成の概略を示す説明図である。
【図２】導波部材の厚み方向における光の導波の様子を示す図である。
【図３】光源部の構成例を示す説明図である。
【図４】光源部の別の構成例を示す説明図である。
【図５】光源部のさらに別の構成例を示す説明図である。
【図６】光検出手段の変形例を示す説明図である。
【図７】侵入監視システムの一例を示すフローチャートである。
【図８】ネットワークを通じての連絡の具体例を示すフローチャートである。
【図９】導波部材中を導波している光の一部を導波部材の表面から漏光させる例を示す概略断面図である。
【符号の説明】
１…導波部材、２…光源、３…光検出手段、４…光、８…傾動ミラー（可動ミラー）、９…回転ミラー（可動ミラー）、１０…凹凸（漏光部）、１１…漏光
【図１】
2005018417.tif 000003
【図２】
2005018417.tif 000004
【図３】
2005018417.tif 000005
【図４】
2005018417.tif 000006
【図５】
2005018417.tif 000007
【図６】
2005018417.tif 000008
【図７】
2005018417.tif 000009
【図８】
2005018417.tif 000010
【図９】
2005018417.tif 000011